(57)【要約】      （修正有）【課題】アウターウエアーでありながらバストアップ機能を有し、女性の胸周りの形、シルエットを美しく顕出することができる女性用衣料を提供する。【解決手段】女性用衣料としてのキャミソール１は、前身頃２と後ろ身頃を備え、前身頃２は、胸部５と、胸下方形成部１５と、胸部５の下部に設けた下部装飾生地部７とを有し、胸部５及び胸下方形成部１５は横方向に伸縮性を有し、下部装飾生地部７はＶ字形状に形成されると共に、該下部装飾生地部７は胸部５又は胸下方形成部１５よりも横方向における伸縮性が小さく、胸部５にはギャザー８が形成されている。【選択図】図１
0003161219.tif 000002
【実用新案登録請求の範囲】
【請求項１】
前身頃と後ろ身頃を備え、前身頃は、胸部と、胸下方形成部と、胸部の下部に設けた下部装飾生地部とを有し、胸部及び胸下方形成部は横方向に伸縮性を有し、下部装飾生地部はＶ字形状に形成されると共に、該下部装飾生地部は胸部又は胸下方形成部よりも横方向における伸縮性が小さく、胸部にはギャザーを形成してなることを特徴とする女性用衣料。
【請求項２】
胸部の上部に、Ｖ字形状に形成された上部装飾生地部を設け、上部装飾生地部と下部装飾生地部とにより両者間にＶ字形領域が設けられ、このＶ字形領域を胸部として構成した請求項１記載の女性用衣料。
【請求項３】
上部装飾生地部は、胸部又は胸下方形成部よりも横方向における伸縮性が小さいものである請求項１〜２のいずれかに記載の女性用衣料。
【請求項４】
胸部と胸下方形成部との間に間隔を設け、この離間した胸部と胸下方形成部との間に下部装飾生地部が位置するように下部装飾生地部を胸部と胸下方形成部との間に設けた請求項１〜３のいずれかに記載の女性用衣料。
【請求項５】
上部装飾生地部及び下部装飾生地部は、それぞれレース生地にて形成される請求項１〜４のいずれかに記載の女性用衣料。
【請求項６】
ギャザーは、縦ギャザーとして形成される請求項１〜５のいずれかに記載の女性用衣料。
【請求項７】
女性用衣料がキャミソール又はペチコートである請求項１〜６のいずれかに記載の女性用衣料。
【考案の詳細な説明】
【技術分野】
【０００１】
本考案は、アウターウエアーとしてのキャミソール、ペチコートなどの女性用衣料に関する。
【背景技術】
【０００２】
女性用衣料としてのキャミソールには、インナーウエアーとして製作されるものと、アウターウエアーとして製作されるものがあり、そのうちアウターウエアーとしてのキャミソールには、従来から種々のデザインのものが製作されている。アウターウエアーとして製作されるキャミソールは、通常、体形補整機能を有していないのがほとんどであり、そのため外観デザインで特色を出したとしても、女性の胸周りの形、シルエットを美しく顕出することは不可能であった。
【０００３】
一方、体形補整機能を有するキャミソールとして、キャミソール本体と、その内側に取付けられる補整用インナーを一体化してなる構成のものが提案されている（例えば特許文献１）。この特許文献１に開示されたキャミソールは、補整用インナーをブラジャー部とウエストニッパー部とで構成し、バストの保持機能と体形補整機能を有するものである。
【先行技術文献】
【特許文献】
【０００４】
【特許文献１】登録実用新案第３１５６９８９号公報
【考案の概要】
【考案が解決しようとする課題】
【０００５】
特許文献１に開示されたキャミソールは、バストの保持機能と体形補整機能という女性用衣料に通常見られる一般的な機能を備えているにすぎず、特にバストの保持機能に関しては、通常のブラジャーと同等の機能にとどまるもので、女性の胸周りの形、シルエットを美しく顕出するという作用を有するものではない。
【０００６】
本考案は、上記の点に鑑みなされたもので、アウターウエアーでありながらバストアップ機能を有し、バストの形を美しく見せ、以って女性の胸周りの形、シルエットを美しく顕出することができる女性用衣料を提供することを目的とする。
【課題を解決するための手段】
【０００７】
本考案は、前身頃と後ろ身頃を備え、前身頃は、胸部と、胸下方形成部と、胸部の下部に設けた下部装飾生地部とを有し、胸部及び胸下方形成部は横方向に伸縮性を有し、下部装飾生地部はＶ字形状に形成されると共に、該下部装飾生地部は胸部又は胸下方形成部よりも横方向における伸縮性が小さく、胸部にはギャザーを形成してなることを特徴とする女性用衣料である。胸部の上部に、Ｖ字形状に形成された上部装飾生地部を設けることが好ましく、これらの上部装飾生地部と下部装飾生地部とにより、両者間にＶ字形領域が設けられ、このＶ字形領域を胸部として構成することができる。
【０００８】
上部装飾生地部は、下部装飾生地部と同様に、胸部又は胸下方形成部よりも横方向における伸縮性が小さい生地素材にて形成することが好ましい。下部装飾生地部を形成するに当っては、胸部と胸下方形成部との間に間隔を設け、この離間した胸部と胸下方形成部との間に下部装飾生地部が位置するように下部装飾生地部を胸部と胸下方形成部との間に設けることができる。上部装飾生地部及び下部装飾生地部は、それぞれレース生地にて形成されることが好ましい。胸部に設けられるギャザーは、縦ギャザーとして形成されることが好ましい。本考案女性用衣料は、キャミソールとして実施できる他、ペチコートとして実施することもできる。
【考案の効果】
【０００９】
本考案の女性用衣料は、前身頃と後ろ身頃を備え、前身頃は、胸部と、胸下方形成部と、胸部の下部に設けた下部装飾生地部とを有し、胸部及び胸下方形成部は横方向に伸縮性を有し、下部装飾生地部はＶ字形状に形成されると共に、該下部装飾生地部は胸部又は胸下方形成部よりも横方向における伸縮性が小さく、胸部にはギャザーを形成してなることを特徴とするものである。本考案は上記の如く構成したので、下部装飾生地部によってバストを下方から支えると共に、バストを中央に寄せ且つ持ち上げる作用が生じ、このように本考案によれば、バストアップ機能が発揮されるものである。
【００１０】
上記の如く本考案はバストアップ機能を有するが、胸部にはギャザーが形成されているので、バストアップされたバストが胸部位置で圧迫を受けるということがなく、バストアップされたバスト形状を美麗に外観に現すことができる。
【００１１】
このように、本考案によれば、アウターウエアーでありながらバストアップ機能を有することによって、バストを大きく且つ形良く見せることができ、その結果、女性の胸周りの形、シルエットを美しく顕出することができる効果を奏するものである。
【図面の簡単な説明】
【００１２】
【図１】本考案の実施形態を示すキャミソールの正面図である。
【図２】図１のＡ−Ａ線に沿う水平切断端面図である。
【図３】図１に示すキャミソールの前身頃を内面から見た状態を示す図である。
【図４】図１に示すキャミソールの背面図である。
【考案を実施するための形態】
【００１３】
図１〜図４は、本考案女性用衣料としてのキャミソールの実施形態を示すもので、１はキャミソール、２はキャミソール１の前身頃、３はキャミソール１の後ろ身頃をそれぞれ示し、キャミソール１は、前身頃２と後ろ身頃３の脇部を縫着して筒状に形成されている。４は前身頃２と後ろ身頃３の脇部における縫合部である。
【００１４】
前身頃２は、バスト対応位置に設けた胸部５と、胸部５の下部に位置する胸下方形成部１５と、胸部５の上部に設けた上部装飾生地部６と、胸部５の下部に設けた下部装飾生地部７とからなる。上部装飾生地部６は、胸部５の上縁５ａに沿って設けられ、下部装飾生地部７は、胸部５の下縁５ｂに沿って設けられている。
【００１５】
下部装飾生地部７を形成するに当って、胸部５と胸下方形成部１５との間に所定の間隔を設け、所定間隔離間した胸部５と胸下方形成部１５との間に下部装飾生地部７が位置するように下部装飾生地部７を胸部５と胸下方形成部１５との間に設けている。尚、胸部５と胸下方形成部１５との間に間隔を設けず、両者を隣接して設け、胸下方形成部１５における胸部５下部位置に下部装飾生地部７を設けるようにしてもよい。
【００１６】
前身頃２と後ろ身頃３の縫合部４、４の上端に臨んで左右一対の袖ぐり１９、１９が形成されており、これらの袖ぐり１９、１９の上縁部に縁どり布９が縫着されていると共に、袖ぐり１９、１９と連続する後ろ身頃３の上縁部にも前記縁どり布９が連続して縫着されている。袖ぐり１９、１９における前身頃２側の縁どり布９は、左右それぞれの上端部から延長形成された延長部を有しており、これらの延長部の端部は後ろ身頃３における縁どり布９にそれぞれ縫着されている。これらの縁どり布延長部は、それぞれ肩紐１０、１０として形成されている。
【００１７】
胸部５の上縁５ａ及び下縁５ｂは、それぞれ左右の両端部から中心に向かって斜め下方に傾斜して形成されており、それにより胸部５の全体形状は緩やかなＶ字形状を描くように形成されている。この胸部５の上縁５ａ及び下縁５ｂをそれぞれ縫い縮めることにより、図２に示すように、多数のひだ１２を作り、それにより多数のひだ１２からなるギャザー８を形成している。図１、図２に示すように、ギャザー８は縦ギャザーとして形成されている。本考案において、ギャザー８は縦ギャザーとして形成することが好ましいが、横ギャザーとして形成してもよい。
【００１８】
上部装飾生地部６は胸部５と同様に、全体が緩やかなＶ字形状を描くような形状体に形成されている。即ち、上部装飾生地部６の上縁６ａ及び下縁６ｂは、それぞれ左右の両端部から中心に向かって斜め下方に傾斜して形成されている。また、下部装飾生地部７も同様に、全体が緩やかなＶ字形状を描くような形状体に形成されている。即ち、下部装飾生地部７の上縁７ａ及び下縁７ｂは、それぞれ左右の両端部から中心に向かって斜め下方に傾斜して形成されている。
【００１９】
このようにして、Ｖ字形状に形成された上部装飾生地部６と、同様にＶ字形状に形成された下部装飾生地部７との間に、Ｖ字形領域１１が形成され、このＶ字形領域１１が胸部５として構成される。
【００２０】
上部装飾生地部６を上記した如くＶ字形状に形成するには、１枚の編地で一体的に形成してもよく、或いは２枚の編地を組み合わせてＶ字形状となるように、それらの編地を端部同士で突き合わせ、その突合せ部を縫着することにより全体形状をＶ字形状に形成するようにしてもよい。また下部装飾生地部７をＶ字形状に形成するに当っても、上記した上部装飾生地部６の場合と同様の方法により形成することができる。本実施形態においては、上部装飾生地部６及び下部装飾生地部７は、それぞれ２枚の編地を組み合わせ、端部相互を突き合わせて縫着することにより形成している。それらの突合せ縫着の縫合部は、それぞれ符号１３、１４で示される。
【００２１】
上部装飾生地部６の下縁部は、胸部５の上縁５ａに縫着される。１６は、上部装飾生地部６の下縁部と、胸部５の上縁５ａとの縫合部を示す。また下部装飾生地部７の上縁部は、胸部５の下縁５ｂに縫着されるとともに、下部装飾生地部７の下縁部は胸下方形成部１５の上縁１５ａに縫着される。１７は、下部装飾生地部７の上縁部と、胸部５の下縁５ｂとの縫合部を示し、１８は、下部装飾生地部７の下縁部と、胸下方形成部１５の上縁１５ａとの縫合部を示す。
【００２２】
胸部５と胸下方形成部１５の左右両脇部は、縫合部４によりそれぞれ、後ろ身頃３に縫着されている。また、下部装飾生地部７の左右両側部は、縫合部４によりそれぞれ、後ろ身頃３に縫着されている。図中、２０はキャミソール１の裾部を示す。
【００２３】
前身頃２における胸部５、胸下方形成部１５及び後ろ身頃３の編成に用いる糸は、比較的伸縮性の大きな糸が好ましい。このような糸として、ポリエステル７０％とレーヨン３０％とからなる糸が好ましい。しかし、本考案はこれに限定されるものではなく、例えば、ウーリーナイロン糸、ポリウレタン弾性糸などの一般的に伸縮性を有する糸を用いることもできる。このように胸部５、胸下方形成部１５及び後ろ身頃３は、ストレッチ性を有する。胸部５、胸下方形成部１５及び後ろ身頃３は、ストレッチ生地で形成することが好ましいが、ニット生地などで形成することもできる。
【００２４】
前身頃２の胸部５と胸下方形成部１５における編地及び後ろ身頃３における編地は共に、身頃の縦方向に対するよりも身頃の横方向に対して大きな伸縮性を有している。胸部５と胸下方形成部１５における編地は、それぞれ同一の生地素材から形成されることが好ましいが、他の実施形態として、それらを異なる生地素材から形成してもよい。
【００２５】
上部装飾生地部６及び下部装飾生地部７における編地は、身頃の縦方向に対する伸縮性はほとんどなく、身頃の横方向に対する伸縮性はあるものの、その伸縮性は小さいものである。従って、上部装飾生地部６及び下部装飾生地部７における、身頃の横方向に対する伸縮性はいずれも、胸部５、胸下方形成部１５又は後ろ身頃３における、身頃の横方向に対する伸縮性に比べて極めて小さいものである。また上部装飾生地部６及び下部装飾生地部７における編地は、いずれも所定の腰の強さを有しており、これら上部装飾生地部６及び下部装飾生地部７における編地の腰の強さはいずれも、胸部５、胸下方形成部１５又は後ろ身頃３における編地の腰の強さよりも大きいものである。
【００２６】
上部装飾生地部６及び下部装飾生地部７は、それぞれアウターウエアーとしてのキャミソールに外観上の美麗さを与えるために設けられるものであるが、後述するように、単に装飾性の向上という機能に止まらず、バストを形良く見せるための機能をも有するものである。このような機能を有する上部装飾生地部６及び下部装飾生地部７はそれぞれ、例えばレース生地にて形成される。上部装飾生地部６及び下部装飾生地部７の編地としてレース生地を用いることが好ましいが、本考案はこれに限定されるものではなく、伸縮性が小さく且つ所定の腰の強さを有していれば、他の編地でもよく、例えば、ラメ生地を用いることも可能である。
【００２７】
キャミソール１は上記の如く構成されるものであり、以下に上記構成に基づく作用について述べる。
【００２８】
まず、予めブラジャーを着けた上でキャミソール１をその上から被着する。そのとき、ブラジャーに包まれたバスト（以下、単にバストという）の位置が胸部５に対応し、バストが胸部５に当接する。胸下方形成部１５及び後ろ身頃３における編地は、身頃の横方向に対して大きな伸縮性を有しているので、キャミソール１を被着したときキャミソール１が身体にフィットし、優れた着用感が得られる。
【００２９】
キャミソール被着時に、上記したように胸下方形成部１５が身体にフィットするが、下部装飾生地部７も同様に身体にフィットする。ここにおいて、下部装飾生地部７の持つ伸縮性は小さいため、バストは下部装飾生地部７によって下方から支えられる。また、下部装飾生地部７はＶ字形状を有するため、バストの脇の部分を押え、これにより、左右の両バストはＶ字形状の中央部に寄せられる。
【００３０】
更に、下部装飾生地部７は、ブラジャーのカップ部の下方のバージスライン付近に接するので、Ｖ字形状が描く線に沿ってバストを下方から支えると共に、バストを上方に持ち上げる作用が生じる。下部装飾生地部７は伸縮性が小さく、しかも所定の腰の強さを有しているので、バストを中央に寄せ且つ上方に持ち上げる作用を確実に行うことができる。このように本考案キャミソール１によれば、バストアップ機能を発揮することができる。ここにおいて、胸部５にはギャザー８が形成されているので、中央に寄せられ且つ上方に持ち上げられたバストが胸部５によって圧迫を受けるということがなく、バストアップされたバスト形状を美麗に外観に現すことができる。
【００３１】
このようにして、左右のバストは中央に寄せられ且つ上方に持ち上げられるが、胸部５の上部位置には、伸縮性の小さな上部装飾生地部６が形成されているので、バストは、上部装飾生地部６と下部装飾生地部７との間のＶ字形領域１１内に形よく収まることができる。
【００３２】
上述したように、本考案キャミソール１は、バストを中央に寄せ且つ上方に持ち上げる機能があるので、バストの小さな女性でもキャミソール１を着用したときは、バストを大きく見せることができる。また、バストの大きな女性がキャミソール１を着用した場合には、ギャザー８の作用により、バスト隆起形状が過度に強調されることがなく、形の良いバスト形状を現すことができる。
【００３３】
以上の如く、本考案キャミソール１の構成によれば、バストアップ機能を有することによって、バストを大きく且つ形良く見せることができ、それにより、女性の胸周りの形、シルエットを美しく顕出することができる。
【００３４】
キャミソール１は、アウターウエアーとして用いられるが、その着用スタイルは特に限定されるものではない。従って、ブラジャーを着けずに直接、キャミソール１を被着するようにしてもよい。この場合においても上記に述べたと同様の作用効果を発揮することができる。
【００３５】
本考案女性用衣料は、キャミソールに限定されず、ペチコートとして実施することもできる。ペチコートとしての実施形態は、特に図示しないが、上記の如く構成されるキャミソール１の裾部２０に、スカート部を縫着してなるものである。このように構成することにより、ドレッシイな感覚を付与することができる。このようなペチコートとしての実施形態においても、上記したキャミソールの実施形態におけると同様な作用効果を発揮することができるものである。
【符号の説明】
【００３６】
１      キャミソール
２      前身頃
３      後ろ身頃
５      胸部
７      下部装飾生地部
８      ギャザー
１５    胸下方形成部
【図１】
0003161219.tif 000003
【図２】
0003161219.tif 000004
【図３】
0003161219.tif 000005
【図４】
0003161219.tif 000006